(57)【要約】【課題】１つの駆動手段により複数の可動体を非同期的に動作させて高い演出効果が得られるようにする。【解決手段】可動演出装置Ｍは、１つの駆動モータ６０により、第１可動体４１、第２可動体４２および第３可動体４３が昇降移動する。第１可動体４１は、駆動モータ６０の駆動に伴い第１初期位置および第１下降位置の間を昇降移動する。第２可動体４２は、昇降移動する第１可動体４１の当接部１０６と該第２可動体４２の被当接部１４３との係合状態において、第２初期位置および第２下降位置の間を昇降移動する。第３可動体４３は、昇降移動する第２可動体４２の上取付ピン１４５Ａと第２ガイド孔１２８の上端１２８Ａとの係合状態において第３初期位置および第３下降位置の間を昇降移動する。【選択図】図２５
2014023874.tif 000002
【特許請求の範囲】
【請求項１】
複数の可動体を動作させる可動演出装置を備えた遊技機であって、
前記可動演出装置は、
駆動手段の駆動に伴い第１初期位置および第１下降位置の間を昇降移動する第１可動体と、
前記第１可動体の昇降移動に伴い第２初期位置および第２下降位置の間を昇降移動する第２可動体と、
前記第２可動体の昇降移動に伴い第３初期位置および第３下降位置の間を昇降移動すると共に、該第２可動体が第２下降位置に移動する前に第３下降位置に移動する第３可動体と、
前記第２可動体を第２初期位置へ移動させるよう付勢する付勢手段と、
前記第１可動体の昇降移動に伴い係脱可能に係合するよう設けられ、該第１可動体が第１初期位置にある状態で係合解除されると共に第１初期位置から第１下降位置へ移動する中途位置において係合し、係合状態において当該第１可動体の昇降移動に伴って第２可動体を第２初期位置および第２下降位置の間で昇降移動させる第１係合手段と、
前記第２可動体の昇降移動に伴い係脱可能に係合するよう設けられ、係合状態において、該第２可動体の昇降移動に伴い前記第３可動体を第３初期位置および第３下降位置の間で昇降移動させる第２係合手段と、
前記第３可動体の昇降移動に伴い係脱可能に係合するよう設けられ、前記第２可動体が第２初期位置から第２下降位置へ移動する中途位置で係合し、係合状態において、当該第３可動体の下降移動を規制して第３下降位置に保持する第３係合手段とを備えた
ことを特徴とする遊技機。
【請求項２】
前記第１可動体の第１初期位置において、第２初期位置にある第２可動体および第３初期位置にある第３可動体の直下に位置する取付部が、該第１可動体に設けられた請求項１記載の遊技機。
【請求項３】
前記第１可動体は、前記駆動手段の駆動により昇降移動する第１移動体と、前記第１移動体に配設されたガイドバーに昇降移動可能に支持された第２移動体と、前記第１移動体に配設されて前記第２移動体に連結され、該第１移動体の昇降移動に連動して該第２移動体を昇降移動させる作動機構とを備え、
前記第２移動体は、前記第１初期位置において前記第１移動体に重なった状態に保持され、第１可動体が第１初期位置から第１下降位置へ移動する際に前記作動機構の作動により前記第１移動体から下方へ延出すると共に、前記第１係合手段により前記第２可動体に係合するよう構成された請求項１または２記載の遊技機。
【発明の詳細な説明】
【技術分野】
【０００１】
この発明は、複数の可動体を動作させる可動演出装置を備えた遊技機に関するものである。
【背景技術】
【０００２】
代表的な遊技機であるパチンコ機は、機内にセットされる遊技盤の盤面に画成した遊技領域の略中央位置に装飾部材(センター役物とも称される)が配設されて、該装飾部材に開設した開口部に、各種図柄を変動および停止表示させて所要の図柄変動演出を行なう図柄表示装置を臨ませるよう構成される。そして、遊技盤の盤面に形成された遊技領域に打ち出された遊技球が、装飾部材の下方位置に配設した始動入賞装置に入賞することにより、図柄表示装置の表示部での図柄変動ゲームが行なわれるようになっている。また、多くのパチンコ機では、所要の動作を行なう可動体を備えた可動演出装置が前記装飾部材等に配設されており、可動体を図柄表示装置での図柄変動ゲームに合わせて動作させることにより演出効果の向上を図っている。
【０００３】
例えば可動演出装置としては、上下方向に昇降運動が可能な可動体と、該可動体に連係されたモータ等の駆動手段とを備え、該駆動手段の駆動により可動体を昇降移動させるよう構成したものがある(特許文献１参照)。ここで、近年においては、図柄表示装置での図柄変動演出の多様化および複雑化に伴い、可動演出装置に対して更なる演出効果の向上が希求されている。そこで、特許文献１の可動演出装置は、２つの可動体を備えて、各可動体が所定の動作を行なうよう構成されている。
【先行技術文献】
【特許文献】
【０００４】
【特許文献１】特開２００７−３７７２９号公報
【発明の開示】
【発明が解決しようとする課題】
【０００５】
前記特許文献１に開示の可動演出装置は、各可動体毎に専用の駆動手段を備えており、各駆動手段を個別に駆動制御することで各々の可動体を同時に動作させたり個別に動作させ得るが、２つの駆動手段が装置本体から後方へ突出して配設されているから装置全体が大型となる。このため、可動演出装置の大型化に伴い、遊技機には広い配設スペースを確保する必要があり、該可動演出装置の近傍に配設される他の部材や機器の配設態様に影響を及ぼす問題がある。なお、１つの駆動手段で複数の可動体を動作させるよう構成した可動演出装置が提案されているが、従来の当該タイプの可動演出装置は、各可動体が常に同期的に動作するだけだったり、各駆動体が単純に動作するものが殆どであり、動作が単調で高い演出効果が得られるものではなかった。
【０００６】
すなわち本発明は、従来の技術に係る遊技機に内在する前記問題に鑑み、これらを好適に解決するべく提案されたものであって、１つの駆動手段により複数の可動体を非同期的に動作させて高い演出効果が得られると共に、装置全体が小型に構成された可動演出装置を備えた遊技機を提供することを目的とする。
【課題を解決するための手段】
【０００７】
前記課題を克服し、所期の目的を達成するため、本願の請求項１に係る発明は、
複数の可動体(41,42,43)を動作させる可動演出装置(M)を備えた遊技機であって、
前記可動演出装置(M)は、
駆動手段(60)の駆動に伴い第１初期位置および第１下降位置の間を昇降移動する第１可動体(41)と、
前記第１可動体(41)の昇降移動に伴い第２初期位置および第２下降位置の間を昇降移動する第２可動体(42)と、
前記第２可動体(42)の昇降移動に伴い第３初期位置および第３下降位置の間を昇降移動すると共に、該第２可動体(42)が第２下降位置に移動する前に第３下降位置に移動する第３可動体(43)と、
前記第２可動体(42)を第２初期位置へ移動させるよう付勢する付勢手段(160)と、
前記第１可動体(41)の昇降移動に伴い係脱可能に係合するよう設けられ、該第１可動体(41)が第１初期位置にある状態で係合解除されると共に第１初期位置から第１下降位置へ移動する中途位置において係合し、係合状態において当該第１可動体(41)の昇降移動に伴って第２可動体(42)を第２初期位置および第２下降位置の間で昇降移動させる第１係合手段(106,143)と、
前記第２可動体(42)の昇降移動に伴い係脱可能に係合するよう設けられ、係合状態において、該第２可動体(42)の昇降移動に伴い前記第３可動体(43)を第３初期位置および第３下降位置の間で昇降移動させる第２係合手段(128A,145A)と、
前記第３可動体(43)の昇降移動に伴い係脱可能に係合するよう設けられ、前記第２可動体(42)が第２初期位置から第２下降位置へ移動する中途位置で係合し、係合状態において、当該第３可動体(43)の下降移動を規制して第３下降位置に保持する第３係合手段(126B,127B,133B)とを備えたことを要旨とする。
【０００８】
請求項１に係る発明によれば、第１〜第３の各可動体が第１〜第３の各初期位置において駆動手段を駆動すると、先ず第１可動体だけが下降移動し始め、第１可動体が中途位置まで下降移動すると、第１係合手段が係合して第２可動体が下降移動し始めると共に、第２係合手段の係合により第２可動体に追従して第３可動体も下降移動し始めるようになり、第１〜第３の各可動体が下降移動する。そして、第３係合手段が係合すると第３可動体が第３下降位置に停止し、また第２係合手段の係合が解除されて第１可動体および第２可動体が更に下降移動した後、第１可動体が第１下降位置に停止すると第２可動体が第２下降位置に停止する。
一方、第１〜第３の各可動体が各々第１〜第３の各下降位置において駆動手段を逆に駆動すると、第１可動体が上昇移動し始めると共に、付勢手段の付勢により第２可動体も上昇移動し始め、該第２可動体の上昇移動に伴い第２係合手段が係合すると、第３係合手段の係合が解除されて第３可動体も上昇移動し始めるようになり、第１〜第３の各可動体の上昇移動する。そして、第２可動体が第２初期位置に停止すると共に第３可動体が第３初期位置に停止すると、第１係合手段の係合が解除されて第１可動体だけが上昇移動し続け、該第１可動体は第１初期位置まで上昇移動して停止する。
従って、１つの駆動手段により、第１可動体が昇降移動する間に、第２可動体および第３可動体が一緒に昇降移動したり、第３可動体が停止して第２可動体が昇降移動したりするから、各可動体が非同期的に動作するようになって高い演出効果を得ることができる。また、駆動手段が１つだけであるから可動演出装置が小型に構成され、これに伴って遊技機における該可動演出装置の配設スペースを小さくできるから、当該可動演出装置の近傍に配設される他の部材や機器の配設態様の自由度が高められる。
【０００９】
請求項２に係る発明では、
前記第１可動体(41)の第１初期位置において、第２初期位置にある第２可動体(42)および第３初期位置にある第３可動体(43)の直下に位置する取付部(107,116)が、該第１可動体(41)に設けられたことを要旨とする。
請求項２に係る発明によれば、駆動手段により昇降移動する第１可動体が下降移動して取付部が下方へ移動しなければ、第２可動体および第３可動体の下降移動が不能であり、第１可動体、第２可動体および第３可動体を規定の順序で動作させることができる。
【００１０】
請求項３に係る発明では、
前記第１可動体(41)は、前記駆動手段(60)の駆動により昇降移動する第１移動体(46)と、前記第１移動体(46)に配設されたガイドバー(82,83)に昇降移動可能に支持された第２移動体(47)と、前記第１移動体(46)に配設されて前記第２移動体(47)に連結され、該第１移動体(46)の昇降移動に連動して該第２移動体(47)を昇降移動させる作動機構(45)とを備え、
前記第２移動体(47)は、前記第１初期位置において前記第１移動体(46)に重なった状態に保持され、第１可動体(41)が第１初期位置から第１下降位置へ移動する際に前記作動機構(45)の作動により前記第１移動体(46)から下方へ延出すると共に、前記第１係合手段(106,143)により前記第２可動体(42)に係合するよう構成されたことを要旨とする。
請求項３に係る発明によれば、第１可動体が第１初期位置から第１下降位置へ下降移動する際に、第１移動体に配設した第２移動体が、下降移動する該第１移動体から更に下方へ延出するようになるから、該第１可動体の下降移動量を大きくすることができ、演出効果を高めることができる。また第２移動体は、第１移動体に配設したガイドバーに沿って昇降移動するので停止中や昇降移動中での姿勢が常に安定し、第２可動体との位置関係が適正に保持されて該第２可動体に対して正確に当接するようになる。
【発明の効果】
【００１１】
本願発明に係る遊技機によれば、１つの駆動手段により複数の可動体を非同期的に動作させるので高い演出効果が得られると共に、装置全体を小型に構成することができる。
【図面の簡単な説明】
【００１２】
【図１】実施例のパチンコ機を、遊技盤の遊技領域内を省略して示す正面図である。
【図２】実施例のパチンコ機を、前枠を開放すると共に遊技盤の遊技領域内を省略して示す斜視図である。
【図３】実施例の可動演出装置の非作動状態で示す遊技盤の正面図である。
【図４】実施例の可動演出装置の作動状態で示す遊技盤の正面図である。
【図５】遊技盤と、可動演出装置が取付けられた設置部材とを示す分解斜視図である。
【図６】設置部材および可動演出装置を示す分解斜視図である。
【図７】(ａ)は、第１〜第３の各可動体が第１〜第３の初期位置の各々に停止した状態で示す実施例の可動演出装置の正面図であり、(ｂ)は、(ａ)の状態での平面図である。
【図８】図７(ｂ)の部分拡大図である。
【図９】(ａ)は、第１〜第３の各可動体が第１〜第３の初期位置の各々に停止した状態で示す実施例の可動演出装置の右側面図であり、(ｂ)は、可動演出装置の左側面図である。
【図１０】ベース部材、第１可動体、第２可動体および第３可動体を分離した可動演出装置を、前斜め上方から見た状態で示す分解斜視図である。
【図１１】ベース部材、第１可動体、第２可動体および第３可動体を分離した可動演出装置を、後斜め上方から見た状態で示す分解斜視図である。
【図１２】ベース部材および該ベース部材に配設される各構成部材を分離させて前上方から見た分解斜視図である。
【図１３】第１可動体の各構成部材を分離させて前上方から見た分解斜視図である。
【図１４】第２可動体の各構成部材および第３可動体の各構成部材を分離させて前上方から見た分解斜視図である。
【図１５】ベース部材および該ベース部材に配設される各構成部材を分離させて後上方から見た分解斜視図である。
【図１６】第１可動体の各構成部材を分離させて後上方から見た分解斜視図である。
【図１７】第２可動体の各構成部材および第３可動体の各構成部材を分離させて後上方から見た分解斜視図である。
【図１８】第１〜第３の各可動体が第１〜第３の下降位置の各々に下降移動して停止した状態で示す実施例の可動演出装置の正面図である。
【図１９】第１〜第３の各可動体が第１〜第３の下降位置の各々に下降移動して停止した状態で示す可動演出装置の右側面図である。
【図２０】第１〜第３の各可動体が第１〜第３の初期位置にある状態を、第１演出部材の一部、第２演出部材および第３演出部材を外した状態で示す正面図である。
【図２１】(ａ)は、駆動モータの駆動により第１可動体だけが第１初期位置から下降移動し、下降移動途中の中途位置において、第２初期位置に停止保持されていた第２可動体に係合した状態を、第１演出部材の一部、第２演出部材および第３演出部材を外した状態で示す正面図であり、(ｂ)は、(ａ)の状態を、ベース部材および第１移動体を省略した状態で示す背面図である。
【図２２】図２１(ａ)の状態で示す可動演出装置の右側面図である。
【図２３】図２１(ａ)の状態から第１可動体および第２可動体の下降移動に追従して下降移動した第３可動体が第３下降位置に到達した状態を、第１演出部材の一部、第２演出部材および第３演出部材を外した状態で示す正面図である。
【図２４】図２３の状態で示す可動演出装置の右側面図である。
【図２５】図２３の状態から第１可動体および第２可動体が下降移動して第１下降位置および第２下降位置の各々に到達した状態を、第１演出部材の一部、第２演出部材および第３演出部材を外した状態で示す正面図である。
【図２６】(ａ)は、第１〜第３の各可動体が第１〜第３の初期位置にある場合の第１作動機構および第２作動機構の状態を示す正面図であり、(ｂ)は、第１〜第３の各可動体が第１〜第３の下降位置にある場合の第１作動機構および第２作動機構の状態を示す正面図である。
【発明を実施するための形態】
【００１３】
次に、本発明に係る遊技機につき、好適な実施例を挙げて、添付図面を参照しながら以下詳細に説明する。なお、遊技機としては、一般的なパチンコ機Ｐを例にして説明する。また、以下の説明において、「前」、「後」、「左」、「右」とは、特に断りのない限り、図１に示すようにパチンコ機Ｐを前側(遊技者側)から見た状態で指称する。
【実施例】
【００１４】
(パチンコ機)
実施例に係るパチンコ機Ｐは、図１および図２に示すように、前後に開口する矩形枠状に形成されて遊技店の図示しない設置枠台に縦置き姿勢で設置される固定枠としての外枠Ａの開口前面側に、遊技盤Ｄを着脱可能に保持する本体枠としての中枠Ｂが、開閉および着脱可能に組み付けられている。そして、遊技盤Ｄの裏側に、所定条件の成立(後述する第１始動入賞装置１５の始動入賞口１５Ａまたは第２始動入賞装置１６の始動入賞口１６Ａへのパチンコ球(遊技球)の入賞)を契機として演出用の図柄を変動表示させて図柄変動演出を行なう図柄表示装置Ｈが着脱可能に配設されている。また、中枠Ｂの前面側には、遊技盤Ｄを透視保護するガラス板や透明な合成樹脂材により形成された透視保護板２２で前後に開口する窓部を覆うよう構成された装飾枠としての前枠Ｃが開閉可能に組み付けられると共に、該前枠Ｃの下部前側に、パチンコ球を貯留する上球皿Ｅおよび下球皿Ｆが組み付けられており、前枠Ｃの開閉に合わせて上球皿Ｅおよび下球皿Ｆも一体的に開閉するよう構成される。
【００１５】
図１および図２に示すように、前記前枠Ｃの右下方位置には、中枠Ｂに配設された打球発射装置Ｊを作動する操作ハンドルＧが設けられており、該操作ハンドルＧの操作により打球発射装置Ｊが作動されることで、上球皿Ｅに貯留されたパチンコ球が所定間隔で１球ずつ前記遊技盤Ｄに向けて連続的に発射されるようになっている。なお実施例では、図柄表示装置Ｈとして、各種図柄を表示可能な液晶パネルを収容ケースに収容した液晶表示装置が採用されるが、これに限られるものではなく、ドラム式の図柄表示装置やドットマトリックス式の図柄表示装置等の各種図柄を停止および変動表示可能な従来公知の各種の表示装置も採用可能である。また、上球皿Ｅは、前枠Ｃと別体に形成して中枠Ｂに対して開閉可能に組み付けるようにしてもよい。
【００１６】
(遊技盤)
前記遊技盤Ｄは、図３〜図５に示すように、アクリルやポリカーボネート等の光透過性の合成樹脂製板やベニア等の木製合板を材質とし、中枠Ｂに設けた遊技盤保持部Ｂ１の内縁形状に整合する外縁形成された略矩形の平板状に形成され、その前側には遊技領域１０が設けられると共に、その後側には設置部材３０が配設されている。遊技盤Ｄの前側には、左下部から右上部にかけて円弧状に延在する外レール１１と、この外レール１１の内側に中央下部から左上部にかけて並べて配置された内レール１２と、外レール１１の右上部から内レール１２の下部までの間に右方へ凹む湾曲形状に構成された盤面飾り部材１３等が配設されており、両レール１１,１２および盤面飾り部材１３で囲まれた内側が遊技領域１０として構成されている。これにより、打球発射装置から発射されたパチンコ球は、外レール１１と内レール１２との間を通って遊技領域１０の左上部に打ち出された後、該遊技領域１０内を流下する。なお、内レール１２の延在長を大きく設定して、前記外レール１１および該内レール１２で遊技領域１０を形成するように構成してもよい。
【００１７】
前記遊技盤Ｄには、中央に大きな貫通口が形成され、図３〜図５に示すように、前後に開口して遊技演出領域とされる表示窓口２０Ａが形成された枠状装飾部材２０が、該貫通口の開口縁に配設されている。この枠状装飾部材２０には、設置部材３０の後側に着脱可能に配設された図柄表示装置Ｈ(図５では図示省略)の表示部Ｈ１で演出表示される遊技内容に合わせた装飾が施されている。そして、枠状装飾部材２０の表示窓口２０Ａには、設置部材３０に配設された図柄表示装置Ｈにおける表示部Ｈ１や、該設置部材３０の前側に配設される後述の可動演出装置Ｍや、その他の可動演出装置および装飾部品等が臨んでいる。なお、枠状装飾部材２０と盤面飾り部材１３との間には、パチンコ球の流下が可能な流下経路１４が形成されている。
【００１８】
また、前記遊技盤Ｄは、貫通口の真下に第１始動入賞装置１５が配設されると共に該貫通孔の右下縁部(枠状装飾部材２０の右下部)に第２始動入賞装置１６が配設され、枠状装飾部材２０の右下部に特別入賞装置２１が配設されると共に第１始動入賞装置１５の左側に普通入賞具１７が配設されている。すなわち特別入賞装置２１は、枠状装飾部材２０の右側に形成された流下経路１４の下方に位置している。そして、遊技盤Ｄの遊技領域１０内には、多数の球案内釘１８および回転球案内具１９等が配設されている。
【００１９】
前記第１始動入賞装置１５、第２始動入賞装置１６、特別入賞装置２１および普通入賞具１７には、各々に入賞したパチンコ球を検知する球検知スイッチが個別に配設され、各球検知スイッチからの球検知信号は、設置部材３０の後側に取り付けられて当該パチンコ機Ｐを総合的に制御する主制御装置(図示せず)に送出される。主制御装置は、第１始動入賞装置１５の球検知スイッチまたは第２始動入賞装置１６の球検知スイッチからの検出信号を受けると、大当り抽選を行なうと共に、設置部材３０の後側に取り付けられた統括制御装置(図示せず)に制御信号を出力して図柄表示装置Ｈに図柄変動演出を行なわせると共に、中枠Ｂの後側に配設された払出制御装置(図示せず)に制御信号を出力して、球払出装置(図示せず)に所定数の賞球を払い出させる。そして、主制御装置における大当り抽選の結果として、特定条件である大当りが成立した場合には遊技者に有利な特別遊技が付与され、図柄表示装置Ｈの表示部Ｈ１での図柄変動演出の後に、該表示部Ｈ１に所定の図柄組合わせで図柄が停止表示されて、特別入賞装置２１の開閉扉２１Ａが開放位置に姿勢変位して多数のパチンコ球の入賞が可能となる。また主制御装置は、特別入賞装置２１の球検知スイッチからの検出信号を受けると、払出制御装置に制御信号を出力して球払出装置に所定数の賞球を払い出させる。更に主制御装置は、普通入賞具１７の球検知スイッチからの検出信号を受けると、払出制御装置に制御信号を出力して球払出装置に所定数の賞球を払い出させる。
【００２０】
(設置部材)
前記設置部材３０は、図５および図６に示すように、前方に開放する略矩形のバケット状に一体形成された合成樹脂製の部材であって、前側の開放端を遊技盤Ｄの後面に突き合わせて該遊技盤Ｄに取り付けられる。この設置部材３０は、遊技盤Ｄの後面に対して後方から所要の間隔で対向して該遊技盤Ｄの後面を構成する設置壁部３１と、該設置壁部３１の周縁から前方へ延出形成された外周壁部３２と、該外周壁部３２の前端から外方に向けて屈曲形成された縁板部３３等を備えている。すなわち設置部材３０は、外周壁部３２で囲われて遊技盤Ｄ側に開放する前部開口が矩形状に形成されると共に、縁板部３３の外周縁が、遊技盤Ｄの外周縁より一回り小さい形状および大きさで形成されている。このような設置部材３０は、縁板部３３を遊技盤Ｄの後面にネジ止めすることで該遊技盤Ｄに固定され、遊技盤Ｄの後面から離間した設置壁部３１の前側に、実施例の可動演出装置Ｍや、その他の可動演出装置、装飾部材および各種部材の配設を可能とする空間を画成する。
【００２１】
前記設置部材３０の設置壁部３１には、図５および図６に示すように、前後に貫通する表示開口３５が形成されており、該設置壁部３１の後側には、前記表示部Ｈ１を臨ませた状態で図柄表示装置Ｈが着脱可能に取り付けられる(図５および図６では、図柄表示装置は図示省略してある)。図柄表示装置Ｈは、各種図柄を表示可能な表示部Ｈ１をなす液晶パネルが収容ケースに収容されたユニット部材であって、該収容ケースの後面には、該図柄表示装置Ｈの表示部Ｈ１の表示制御を行なう図示しない表示制御装置と、当該パチンコ機Ｐの遊技演出を統括的に制御する統括制御装置が配設される。統括制御装置には、設置壁部３１の後側に配設した中継基板(図示せず)を介して図柄表示装置Ｈ、前枠Ｃに配設されたランプ装置や中枠Ｂに配設されたスピーカ等が電気的に接続されており、該統括制御装置から出力される制御信号に基づいて各装置が作動制御される。また統括制御装置には、中継基板を介して、設置壁部３１の前側に配設された実施例の可動演出装置Ｍや、装飾部材に配設されたランプ装置等が電気的に接続されており、該統括制御装置から出力される制御信号に基づいて可動演出装置Ｍの作動制御や各ランプ装置の点灯制御が行なわれる。なお設置壁部３１は、表示開口３５の上側部分を上板部３１Ａと指称する。
【００２２】
(可動演出装置)
次に、前記設置部材３０の設置壁部３１の上板部３１Ａの前面に固定され、枠状装飾部材２０の表示窓口２０Ａ内の上方に位置するように配設された実施例の可動演出装置Ｍについて説明する。
【００２３】
実施例の可動演出装置Ｍは、図６〜図１１に示すように、第１初期位置(図７、図９)および第１下降位置(図１８、図１９)の間を昇降移動する第１可動体４１と、第１可動体４１の昇降移動に伴い第２初期位置(図７、図９)および第２下降位置(図１８、図１９)の間を昇降移動する第２可動体４２と、第２可動体４２の昇降移動に伴い第３初期位置(図７、図９)および第３下降位置(図１８、図１９)の間を昇降移動すると共に、該第２可動体４２が第２下降位置に移動する前に第３下降位置に移動する第３可動体４３とを備えている。第１可動体４１、第２可動体４２および第３可動体４３は、設置部材３０の上板部３１Ａにおける前面中央に固定されるベース部材４０に直接または間接に配設されており、第１可動体４１と第２可動体４２とが係脱可能に係合され、第２可動体４２と第３可動体４３とが係脱可能に係合されていると共に、第２可動体４２は、付勢手段としての引張りコイルバネ１６０により第２初期位置へ上昇移動するよう付勢されている。
【００２４】
第１可動体４１は第１演出部材Ｓ１を備え、第２可動体４２は第２演出部材Ｓ２を備え、第３可動体４３は第３演出部材Ｓ３を備えており、当該可動演出装置Ｍを設置部材３０の上板部３１Ａの前面に取付けた際には、第１〜第３の各可動体４１,４２,４３が昇降移動することで第１〜第３の各演出部材Ｓ１,Ｓ２,Ｓ３が図柄表示装置Ｈの表示部Ｈ１の上方において昇降移動するようになる。実施例の可動演出装置Ｍは、第１可動体４１の動作による第１演出部材Ｓ１の昇降移動量と、第２可動体４２の動作による第２演出部材Ｓ２の昇降移動量と、第３可動体４３の動作による第３演出部材Ｓ３の昇降移動量とは同じではなく、第１演出部材Ｓ１の昇降移動量が最も大きく、第３演出部材Ｓ３の昇降移動量が最も小さく、第２演出部材Ｓ２の昇降移動量が第１演出部材Ｓ１の昇降移動量より小さく第３演出部材Ｓ３の昇降移動量より大きく設定されている。
【００２５】
(ベース部材)
前記ベース部材４０は、図７〜図１２、図１５および図１８等に示すように、左右に長い板状部材であって、略矩形状に形成されて可動演出装置Ｍを構成する各種構成部材が配設される設置部５０と、該設置部５０の左側部および右側部に側外方へ延出するように形成され、ネジ挿通孔５１Ａが形成された取付部５１,５１とを備えている。ここで、実施例では、設置部５０に、第１可動体４１、第３可動体４３、第１可動体４１の第１移動体４６を昇降移動させる第１作動機構４４が配設されている。そしてベース部材４０は、設置部材３０の上板部３１Ａの前面に対して、ネジ挿通孔５１Ａに挿通させたネジを設置部材３０の上板部３１Ａに設けられたネジ孔３１Ｂに締結させることで、該上板部３１Ａの前面に前向きに固定される。また、右の取付部５１には、第１可動体４１が第１初期位置となると、該第１可動体４１の第１移動体４６に設けられた被検知部８６を検知する検知センサ５４が配設されている。なお、符号４８は、当該可動演出装置Ｍと中継基板とを接続する配線が連結されるコネクタ基板であり、符号１０８は、ベース部材４０の下部に取り付けられる装飾部材である。
【００２６】
図１２および図１５に示すように、前記ベース部材４０の設置部５０における前面左縁および前面右縁には、前方へ突出すると共に上下に延在する左台座部５２および右台座部５３が各々形成され、左右の各台座部５２,５３の前面には、第３可動体４３を昇降移動可能に支持する一対の第３支持部材１３０,１３０(後述)が、左右に対向した状態で固定されている。設置部５０の前面における左台座部５２の右側には、第１可動体４１における第１移動体４６の左側部分を支持する第１ガイド部材(第１ガイド部)５５が、上下に延在するよう固定されている。設置部５０の前面における右台座部５３の左側には、第１移動体４６の右縁部分を後方から支持する後ガイド片５６が、前方へ突出すると共に上下に延在するよう形成されている。また、右台座部５３の前面には、後ガイド片５６に対して前側から対向する前ガイド片５８と、後述するラックギア９０が形成された第１支持部材５７が配設されている。前ガイド片５８は後方へ突出すると共に上下に延在しており、該前ガイド片５８と後ガイド片５６との間には、図７(ｂ)および図８に示すように、第１可動体４１における第１移動体４６の右縁部分が左方から差込まれる第１ガイド溝５９が形成されており、昇降移動する該第１移動体４６の右縁部分が、前ガイド片５８および後ガイド片５６により前後から支持されている。更に、設置部５０の前面における左右方向の略中央には、第１作動機構４４が配設されると共に、該設置部５０の裏面における右上には、該第１作動機構４４を構成する駆動手段としての駆動モータ６０が配設されるモータ取付部６４が形成されている。
【００２７】
(第１ガイド部材)
前記第１ガイド部材５５は、図７(ｂ)に示すように、３段引きタイプのスライドレールであって、所要長のアウタレール６１と、該アウタレール６１から下方へスライド可能に取付けられた中間レール６３と、該中間レール６３から下方へスライド可能に取付けられたインナレール６２とから構成されている。第１ガイド部材５５は、アウタレール６１に中間レール６３およびインナレール６２が収容されて短くなった収容状態と、アウタレール６１から中間レール６３およびインナレール６２が延出して長くなった引出し状態とに長さが変化するようになっている。そして、中間レール６３は、アウタレール６１に対してボールガイドによりがたつきなく支持されていると共に、インナレール６２は、中間レール６３に対してボールガイドによりがたつきなく支持されており、中間レール６３およびインナレール６２はアウタレール６１から下方へ延出する際に左右方向および前後方向へ振れないように構成されている。また、アウタレール６１は、ベース部材４０の前面に対して垂直に延在する向きでネジにより強固に固定されていると共に、インナレール６２は、第１可動体４１の第１移動体４６の左縁部分が上下に離間した複数箇所でネジにより強固に固定されている。従って、第１移動体４６は、その右縁側がベース部材４０に対して上下に変位したり前後に変位することなく適切な姿勢に保持されて、中間レール６３およびインナレール６２のスライド移動に伴ってベース部材４０の前側をスムーズに昇降移動する。なお、図１０〜図１３、図１５および図１６では、アウタレール６１とインナレール６２とを分離すると共に中間レール６３を省略した状態で図示してあるが、これはベース部材４０および第１移動体４６に対する第１ガイド部材５５の固定位置を理解し易く示すためであり、該第１ガイド部材５５は、実際にはアウタレール６１、中間レール６３およびインナレール６２が分離不能にユニット化されている。
【００２８】
(第１作動機構)
前記第１作動機構４４は、図１０、図１２、図１５および図２６等に示すように、設置部５０の後側に配設された駆動モータ６０と、該駆動モータ６０により回転する第１アーム部材(第１アーム)６６と、第１可動体４１の第１移動体４６に設けられ、該第１アーム６６に連結される第１連係孔７９とを備えている。駆動モータ６０と第１アーム部材６６とは、該駆動モータ６０の駆動軸に固定された駆動ギア６５と、該第１アーム部材６６に設けられた従動ギア６８とにより連係されている。第１アーム部材６６は、設置部５０の前側に第１回転支軸(第１支軸)６７により水平軸周りに回転自在に支持され、駆動ギア６５より大径に形成された従動ギア６８と、該従動ギア６８の外周縁から径方向外方へ延出したアーム部６９と、該アーム部６９の先端前側に水平軸周りに回転自在に配設された第１連係ローラ７０とを備え、従動ギア６８およびアーム部６９の前後方向の厚みが最小限に抑えられている。そして第１連係ローラ７０は、第１移動体４６に左右方向へ延在するよう設けた前記第１連係孔７９にスライド移動可能に係合している(図２１(ａ)、図２３、図２５参照)。このような第１アーム部材６６は、アーム部６９が垂直上方より僅かに右側へ延出した第１初期回転位置(図２０、図２６(ａ)参照)と、駆動モータ６０の駆動により該第１初期回転位置から約１７０度ほど左回転(反時計方向)して該アーム部６９が垂直下方より左側へ延出した第１最大回転位置(図２５、図２６(ｂ)参照)との間を回転するように配設されている。従って第１連係ローラ７０は、第１アーム部材６６の回転により、設置部５０に対して左方へ凸となる円弧状に移動し、この際に第１連係孔７９に対しては往復移動するようになる。
【００２９】
駆動手段としての前記駆動モータ６０は、図７(ｂ)、図９および図１２等に示すように、ベース部材４０の設置部５０における右側上方に形成されたモータ取付部６４の後側に、該モータ取付部６４に形成した挿通孔６４Ａを介して駆動軸６０Ｂを設置部５０の前側に延出させた状態で固定されている。駆動モータ６０は、例えば正逆回転が可能なステッピングモータ等の電動モータであり、減速用のギアボックス６０Ａを備え、前述した統括制御装置により駆動制御される。なお駆動手段としては、電動モータに限らず、流体を使用するアクチュエータや、ロータリーソレノイド等であってもよい。
【００３０】
前記第１作動機構４４は、第１アーム部材６６の第１初期回転位置において、第１可動体４１を第１初期位置(第１移動体４６が第１基準位置)に停止保持するようになり(図２０)、該第１アーム部材６６が第１初期回転位置から第１最大回転位置へ回転するに従い、第１可動体４１を第１初期位置から第１下降位置に下降移動させる。そして、第１アーム部材６６の第１最大回転位置においては、第１可動体４１を第１下降位置(第１移動体４６が第１移動位置)に停止する(図２５)。すなわち、図２６(ｂ)に示すように、第１アーム部材６６の第１初期回転位置における第１連係ローラ７０の位置および第１最大回転位置における該第１連係ローラ７０の位置の上下方向での距離Ｌ１が、第１移動体４６の昇降移動量となる。
【００３１】
なお、ベース部材４０の設置部５０の前面には、図１２および図２６に示すように、第１アーム部材６６の第１初期回転位置においてアーム部６９に右方から当接して該第１アーム部材６６が初期位置から右方向へ過回転するのを防止する第１ストッパ７１と、該第１アーム部材６６の第１最大回転位置においてアーム部６９に右方から当接して該第１アーム部材６６が第１最大回転位置から右方向へ過回転するのを防止する第２ストッパ７２とが形成されている。また、第１アーム部材６６の第１初期回転位置におけるアーム部６９の位置が、前述すると共に図２０および図２６(ａ)に示すように垂直より右方に設定されているから、駆動モータ６０の非駆動状態において第１連係ローラ７０に対して垂直下方への荷重が加わった際には、該アーム部６９が第１ストッパ７１に押付けられて第１最大回転位置側への回転が規制される。従って、第１アーム部材６６の第１初期回転位置において駆動モータ６０の非駆動状態においては、第１可動体４１による荷重が第１連係ローラ７０に対して上方から加わっても、該第１アーム部材６６が第１最大回転位置側へ回転することが規制されるから、第１〜第３の各可動体４１,４２,４３が自重により下降移動することが規制されるよう構成されている。
【００３２】
(第１可動体)
前記第１可動体４１は、図１０、図１１、図１３および図１６に示すように、ベース部材４０の設置部５０に配設された第１ガイド部材５５に取付けられ、第１作動機構４４の駆動モータ６０に連係された第１移動体４６と、該第１移動体４６に配設された第２ガイド部材(第２ガイド部)８０に昇降移動可能に支持され、第２作動機構４５に連係された第２移動体４７とを備えている。また、第１可動体４１は、第２移動体４７の前側に、円形上の第１演出部材Ｓ１を備えている。第１移動体４６は、第１作動機構４４の駆動モータ６０の駆動により、ベース部材４０の設置部５０の前側に重なった第１基準位置(図９、図２０)および該第１基準位置から下方へ移動した第１移動位置(図２４、図２５)の間を昇降移動可能であり、該第１移動体４６は、第１可動体４１の第１初期位置において第１基準位置となり、該第１可動体４１の第１下降位置において第１移動位置となる。第２移動体４７は、第１移動体４６が第１基準位置および第１移動位置の間を昇降移動する際に作動する第２作動機構４５により、第１移動体４６の前側に重なった第２基準位置(図９、図２０)および該第２基準位置から下方へ移動して第１移動体４６の下方へ延出した第２移動位置(図２４、図２５)との間を昇降移動可能であり、該第２移動体４７は、第１可動体４１の第１初期位置において第２基準位置となり、該第１可動体４１の第１下降位置において第２移動位置となる。
【００３３】
(第１移動体)
前記第１移動体４６は、図７(ｂ)、図８、図１３および図１６に示すように、ベース部材４０に設けられた左台座部５２の右壁および右台座部５３の左壁の左右方向での間隔と略同じ左右長で、設置部５０の上下長と略同じ上下長に形成された板状部材である。第１移動体４６の後部左端に、第１ガイド部材５５のインナレール６２が後面に固定するための第１ガイド取付部７５が、上下方向に延在するように形成されている。第１移動体４６の後部右端には、前述した第１ガイド溝５９に左方から差込まれて、前ガイド片５８および後ガイド片５６により前後方向から支持されるスライド部材７６が配設されている。このスライド部材７６の右端には、前述した被検知部８６が形成されている。また、第１移動体４６における第１ガイド取付部７５の右側には、後方へ凹んだ状態(後側へ突出した状態)で該第１ガイド取付部７５と平行に上下に延在する第２ガイド取付部７７が設けられている。この第２ガイド取付部７７には、第１移動体４６に対して第２移動体４７を昇降移動可能に支持する第２ガイド部材８０のブラケット８１が固定され、該第２ガイド取付部７７に固定された第２ガイド部材８０は、第１ガイド取付部７５に固定された第１ガイド部材５５と平行になっている。
【００３４】
なお、第１移動体４６は、図２０に示すように、第２ガイド取付部７７が形成された部分が、ベース部材４０の設置部５０に配設された第１アーム部材６６の旋回領域の左方に位置して該第１アーム部材６６と干渉しないようになっている。そして、第１移動体４６は、第２ガイド取付部７７の後側部分が設置部５０の前面に近接して、該設置部５０の前面との間に前記第１作動機構４４が配設される空間を画成した状態でベース部材４０に配設されている(図７(ｂ)参照)。
【００３５】
第１移動体４６の前面には、図１３、図１６、図２５および図２６に示すように、第１移動体４６の昇降移動と連動して第２移動体４７を昇降移動させる第２作動機構４５が、該前面の右側に偏って配設されている。そして、第１移動体４６の上縁部には、該第１移動体４６の前後方向に開口する第１連係孔７９が、左右方向に延在するように形成されている。この第１連係孔７９には、ベース部材４０の設置部５０に配設した第１アーム部材６６の第１連係ローラ７０が、該第１連係孔７９に沿って移動可能に係合されている。
【００３６】
(第２ガイド部材)
前記第２ガイド部材８０は、図７(ｂ)、図１０、図１３および図１６に示すように、第１移動体４６の第２ガイド取付部７７に取付けたブラケット８１と、上端および下端が該ブラケット８１に支持された２本のガイドバー(第１ガイドバー８２、第２ガイドバー８３)とから構成されている。ブラケット８１は、例えばスチール製の金属部材であって、上下方向に延在する基体部８１Ａと、該基体部８１Ａの上縁から水平に延出する上支持部８１Ｂと、該基体部８１Ａの下縁から水平に延出して上支持部８１Ｂと上下に対向する下支持部８１Ｃとを備え、基体部８１Ａの中間から右方へ延出する取付部８１Ｄを利用して第１移動体４６に固定される。第１ガイドバー８２および第２ガイドバー８３は、第１移動体４６の昇降移動方向と交差する方向、すなわち前後方向に離間すると共に上下方向に延在した状態に配置され、各ガイドバー８２,８３の上端がブラケット８１の上支持部８１Ｂに支持されると共に各ガイドバー８２,８３の下端が該ブラケット８１の下支持部８１Ｃに支持され、該ブラケット８１に強固に固定されている。
【００３７】
図７(ｂ)、図１０、図１１、図１３および図１６に示すように、第１移動体４６の前方右側には、上下方向に延在する第２支持部材８４が配設されている。第２支持部材８４は、前後方向に開口する第１ガイド孔８５が上下方向に延在するよう形成された支持部８４Ａと、該支持部８４Ａの後面から後方へ延出した複数(実施例では第１ガイド孔８５の左右に３個)の取付ボス８４Ｂとを備えている。そして、第２支持部材８４は、各取付ボス８４Ｂの後端を第１移動体４６の前面に固定することで、支持部８４Ａが第１中間ギア９１および第２中間ギア９２の前側に位置している。第１ガイド孔８５には、図７(ｂ)および図２５に示すように、第２移動体４７の裏面右側に設けた第１ガイドローラ１０３がスライド移動可能に係合して、昇降移動する該第２移動体４７の右縁部分を支持するようになっている。
【００３８】
(第２作動機構)
前記第２作動機構４５は、図１０、図１２、図１３、図１６および図２６等に示すように、ベース部材４０に第２移動体４７のスライド移動方向に沿う上下方向へ延在するよう第１支持部材５７に設けられた前述のラックギア９０と、第１移動体４６の前側に第２回転支軸(第２支軸)９４により水平軸周りに回転自在に支持され、該ラックギア９０に連係された第２アーム部材９３と、第１可動体４１の第２移動体４７に設けられ、該第２アーム部材９３に連結される第２連係孔１０４とを備えている。ラックギア９０と第２アーム部材９３とは、第１移動体４６に対して水平軸周りに回転自在に配設されてラックギア９０に噛合した第１中間ギア９１と、該第１移動体４６に対して水平軸周りに回転自在に配設されて該第１中間ギア９１に噛合する第２中間ギア９２とにより連係されている。第２アーム部材９３は、第１移動体４６の前側に第２回転支軸(第２支軸)９４により水平軸周りに回転自在に支持され、該第２中間ギア９２に噛合した従動ギア９５を備えている。第２作動機構４５は、第１移動体４６が第１ガイド部材５５に沿って第１基準位置と第１移動位置との間をスライド移動するのに伴い、ラックギア９０と噛合した第１中間ギア９１および第２中間ギア９２が回転して第２アーム部材９３が回転することで、第２移動体４７を第２ガイド部材８０に沿って第２基準位置と第２移動位置との間をスライド移動させ得るようになっている。
【００３９】
前記ラックギア９０は、図２０および図２５等に示すように、ベース部材４０の右台座部５３に固定された第１支持部材５７における左縁に、各歯が左方を指向した状態で上下に整列するように配置されている。ラックギア９０の上下長さは、第１移動体４６の昇降移動量より大きく設定されて、ベース部材４０に配設された第１可動体４１における第１移動体４６の右縁部前側に各歯が臨んでいる。そしてラックギア９０は、図２０および図２６に示すように、第１中間ギア９１が常に噛合しており、第１移動体４６の昇降移動中には該第１中間ギア９１が回転するようになっている。
【００４０】
前記第１中間ギア９１は、第１移動体４６の上方右側に回転支軸により水平軸周りでの回転が自在に配設されて、第１移動体４６の右縁部前側に臨むラックギア９０と常に噛合している。そして、第１中間ギア９１は、第１移動体４６の第１基準位置においてはラックギア９０の上端近くに位置し(図２０、図２６(ａ))、第１移動体４６が第１基準位置から第１延出位置の間を昇降移動する際にはラックギア９０に噛合しながら回転支軸を中心として回転し、第１移動体４６の第１延出位置においてはラックギア９０の下端近くに位置する(図２５、図２６(ｂ))。第２中間ギア９２は、第１中間ギア９１の左下方に回転支軸により水平軸周りでの回転が自在に配設されて、該第１中間ギア９１と常に噛合していることで、第１中間ギア９１が回転すると回転支軸を中心として該第１中間ギア９１と反対方向へ回転する。
【００４１】
前記第２アーム部材９３は、図１３、図１６および図２６に示すように、外周に第１中間ギア９１および第２中間ギア９２より大径に形成された従動ギア９５と、該従動ギア９５の前端面から径方向外方へ延出したアーム部９６と、該アーム部９６の先端前側に水平軸周りに回転自在に配設された第２連係ローラ９７とを備えている。第２連係ローラ９７は、図２１(ａ)、図２３および図２５に示すように、第２移動体４７に設けた第２連係孔１０４にスライド移動可能に係合している。このような第２アーム部材９３は、アーム部９６が略垂直上方へ延出した第２初期回転位置(図２０、図２６(ａ)参照)と、第２中間ギア９２の回転により該第２初期位置から約１８０度左回転(反時計方向)してアーム部９６が略垂直下方へ延出した第２最大回転位置(図２５、図２６(ｂ)参照)との間を回転するように配設されている。従って第２連係ローラ９７は、第２アーム部材９３の回転により、第１移動体４６に対して左方へ凸となる半円弧状に移動し、この際に第２連係孔１０４に沿って往復移動するようになる。
【００４２】
前記第２作動機構４５は、第２アーム部材９３の第２初期回転位置において、第１可動体４１を第１初期位置(第２移動体４７が第２基準位置)に停止保持するようになり(図２０)、該第１アーム部材６６が第１初期回転位置から第１最大回転位置に向けて回転するに従って第１移動体４６が第１基準位置から第１移動位置へ下降移動すると共に、第２アーム部材９３が第２基準回転位置から第２最大回転位置に向けて回転するに従って第１可動体４１を第１初期位置から第１下降位置に下降移動させる。そして、第２アーム部材９３の第２最大回転位置においては、第１可動体４１が第１下降位置(第２移動体４７が第２移動位置)に停止する(図２５)。すなわち、図２６(ｂ)に示すように、第２アーム部材９３の第２初期回転位置における第２連係ローラ９７の位置および第２最大回転位置における該第２連係ローラ９７の位置の上下方向での距離Ｌ２が、第２移動体４７の昇降移動量となるように設定されている。
【００４３】
(第２移動体)
前記第２移動体４７は、図７(ｂ)、図１３および図１６に示すように、第１移動体４６に配設された第２ガイド部材８０およびガイド部８１Ａの左右方向での配設間隔より左右に長い連結支持部１００と、該連結支持部１００の左右略中央から下方へ延出形成した取付部１０１とから構成されている。連結支持部１００の後面左側には、スライド部１０２が後方へ突出した状態に設けられ、このスライド部１０２は、第１ガイドバー８２および第２ガイドバー８３が上下に挿通して、両ガイドバー８２,８３に摺動可能に支持されている。また、連結支持部１００の後面右側には、前述した第１ガイド孔８５に前側から係合する第１ガイドローラ１０３が、水平軸周りに回転自在に配設されている。更に、連結支持部１００の左右中央には、第２移動体４７の前後方向に開口する第２連係孔１０４が、左右方向に延在するように形成されている。この第２連係孔１０４には、第１移動体４６に配設した第２アーム部材９３の第２連係ローラ９７が、左右方向へ移動可能に係合されている。
【００４４】
また、図１０および図１１に示すように、連結支持部１００の左端縁および右端縁には、第２可動体４２の昇降支持体１４０の側面に当接する案内支持面１０５,１０５が形成されており、該昇降支持体１４０,１４０を側方から保持可能となっている(図２５)。更に、連結支持部１００の左下端および右下端には、第１係合手段としての当接部１０６,１０６が設けられている。各当接部１０６,１０６は、図２１(ｂ)に示すように、第２可動体４２に設けられた被当接部１４３,１４３に、上方から係脱可能に係合するようになっている。
【００４５】
前記取付部１０１は、図１３に示すように、前側から見て略矩形状に形成され、前面左下角部および前面右下角部には、図１３、図２２および図２４に示すように、前方へ延出した固定支持部(取付部)１０７,１０７が形成されている。これら固定取付部１０７,１０７の先端には、第１演出部材Ｓ１が取付けられる。
【００４６】
(第１演出部材)
前記第１演出部材Ｓ１は、図６〜図９、図１３および図１６に示すように、第２移動体４７の前側に取付けられる基体１１０と、該基体１１０に回転可能に支持された回転軸１１１の前部に取付けられた回転体１１２と、該基体１１０の後側に取付けられ、回転体１１２にギアを介して連係された作動モータ１１３と、基体１１０の前側に回転体１１２に覆蓋された状態で配設された照明基板１１４等を備えている。基体１１０の後側下部には、作動モータ１１３を固定するモータ取付け部１１５が設けられると共に、第２移動体４７の取付部１０１にネジ固定される棒状の取付支持部材１１６,１１６が後方へ突出するように固定され、該取付支持部材１１６,１１６の後部を取付部１０１に固定することで、当該第１演出部材Ｓ１が第２移動体４７の前側に固定される。また回転体１１２は、前面の一部が開口が形成されると共に、光透過可能な透明または半透明な部材で形成された光透過部材１１７で該開口が内側から塞がれており、該回転体１１２の開口を除く前面および外周面は所要の意匠形状に形成されると共にメッキ等の表面処理が施されている。そして回転体１１２は、作動モータ１１３の駆動により回転すると共に、照明基板１１４の発光部が点灯または点滅制御されることで開口に臨む光透過部材１１７が裏側から照射されて明輝するよう構成されている。
【００４７】
(第３支持部材)
前記左右の第３支持部材１３０,１３０は、図９、図１０、図１２および図１５に示すように、若干の形状の違いはあるが基本的な構成は同じで左右対称に構成されている。すなわち、各第３支持部材１３０,１３０は、台座部５２,５３の前面に平行に対向し、後面から後方へ延出する２つの取付ボス１３１Ａが形成された取付部１３１と、該取付部１３１の設置部５０側の端縁から前方へ延出し、左右方向に開口する第３ガイド孔１３３が上下方向に延在するよう形成された支持部１３２とを備えている。各第３支持部材１３０,１３０は、取付ボス１３１Ａを台座部５２,５３の前面に当接させた状態で、ベース部材４０にネジにより固定されている。左の第３支持部材１３０の第３ガイド孔１３３には、図９(ｂ)および図２０に示すように、第３可動体４３の左側板部１２３から左方へ延出した２本のガイドピン１２６,１２６がスライド移動可能に係合すると共に、右の第３支持部材１３０の第３ガイド孔１３３には、図９(ａ)、図２０および図２４に示すように、第３可動体４３の右側板部１２４から右方へ延出した２本のガイドピン１２７,１２７がスライド移動可能に係合しており、第３可動体４３が左右両側から支持されている。
【００４８】
(第３可動体)
次に、第２可動体４２を昇降移動可能に支持する前記第３可動体４３について説明する。第３可動体４３は、図１０、図１１、図１４および図１７に示すように、第３支持部材１３０,１３０を介してベース部材４０に昇降移動可能に支持された支持部材１２０と、該支持部材１２０の前側に取付けられた第３演出部材Ｓ３とを備えている。支持部材１２０は、上端が直線状で下端の左右中央部分が上方へ切り欠かれた形状に形成された板状の取付板部１２１と、該取付板部１２１の左縁および右縁に上下に延在するように設けられ、第２可動体４２の昇降支持体１４０,１４０を昇降移動可能に支持する昇降支持部１２２,１２２と、左の昇降支持部１２２の左縁から後方へ延出した左側板部１２３および右の昇降支持部１２２の右側から後方へ延出した右側板部１２４とを備えている。第３可動体４３は、左側板部１２３の外面から右側板部１２４の外面までの左右長が、左の第３支持部材１３０の支持部１３２および右の第３支持部材１３０の支持部１３２の間に左右間隔より僅かに小さく設定されている。取付板部１２１の前面には、複数(実施例では２個)の固定ボス１２５が前方へ突出して形成されており、第３演出部材Ｓ３を支持部材１２０の前側に固定するネジが該固定ボス１２５の先端に締結されるようになっている。
【００４９】
左右の各昇降支持部１２２,１２２は、取付板部１２１の前面から後方へ凹んで、前方および上下に開口する溝状に形成され、第２可動体４２の各昇降支持体１４０,１４０が上下方向に移動可能となっている。ここで、各昇降支持部１２２,１２２の前面と取付板部１２１の前面との前後方向での段差は、第２可動体４２の昇降支持体１４０,１４０の前後幅と同じに形成されている。また、各昇降支持部１２２,１２２には、前後に開口する第２ガイド孔１２８が、上下に延在するように形成されている。各第２ガイド孔１２８,１２８には、図２５に示すように、第２可動体４２の昇降支持体１４０に設けられた２個の取付ピン１４５(１４５Ａ,１４５Ｂ)が昇降移動可能に係合されている。
【００５０】
第３可動体４３の左側板部１２３の左外面には、左の第３支持部材１３０に設けられた第３ガイド孔１３３に右方から突入してスライド移動可能に係合する２つのガイドピン１２６が、左方へ突出すると共に上下に並んで配設されていると共に、右側板部１２４の右外面には、右の第３支持部材１３０に設けた第３ガイド孔１３３に左方から突入してスライド移動可能に係合する２つのガイドピン１２７が、右方へ突出すると共に上下に並んで配設されている。これにより第３可動体４３は、左右の各ガイドピン１２６,１２７が左右の第３ガイド孔１３３,１３３に各々係合して、左右の第３支持部材１３０,１３０により左右から支持された状態で昇降移動する。そして、左右の各ガイドピン１２６,１２７において上側に位置するガイドピン(以降「上ガイドピン１２６Ａ,１２７Ａ」という)が対応の第３ガイド孔１３３の上端１３３Ａに当接する位置が、第３可動体４３の第３初期位置となり、左右の各ガイドピン１２６,１２７において下側に位置するガイドピン(以降「下ガイドピン１２６Ｂ,１２７Ｂ」という)が対応の第３ガイド孔１３３の下端１３３Ｂに当接する位置が、該第３可動体４３の第３下降位置となる。なお、各ガイドピン１２６,１２７の先端には、対応の第３ガイド孔１３３の短手方向の開口幅より大径のワッシャが取付けられ、該ガイドピン１２６,１２７の抜け防止が図られている。
【００５１】
(第３演出部材)
前記第３演出部材Ｓ３は、図１０、図１４、図１７および図１８に示すように、横長で所定の意匠形状をなしていると共に、外面にメッキ等の表面処理が施された演出用のプレート状部材である。第３演出部材Ｓ３における上縁の中央左側および下縁の中央右側には、支持部材１２０の取付板部１２１に設けた固定ボス１２５に整合するネジ挿通孔１３７が形成されており、前側から該ネジ挿通孔１３７を介して該固定ボス１２５にネジを締結することで、当該第３演出部材Ｓ３が支持部材１２０の前側に固定される。なお、第３演出部材Ｓ３の下縁における左右中央には、上方へ切り欠いた凹み１３８が形成されている。
【００５２】
なお、前記第３可動体４３は、支持部材１２０および第３演出部材Ｓ３の自重により、左右の第３支持部材１３０,１３０に支持されながら下降移動するようになっている。また、第３可動体４３は、第２可動体４２に掛止された引張りコイルバネ１６０の付勢により該第２可動体４２が上方へ移動することで、該第２可動体４２に下方から押されて上昇移動するようになっている。
【００５３】
(第２可動体)
前記第２可動体４２は、図１０、図１１、図１４および図１７に示すように、第３可動体４３の各昇降支持部１２２,１２２に昇降移動可能に配設される左右一対の昇降支持体１４０,１４０と、両昇降支持体１４０,１４０の前側に取付けられる第３演出部材Ｓ３とを備えている。左右の各昇降支持体１４０,１４０は、部分的に形状が異なるものの基本構成は同じであって、上下に細長い本体部１４１と、該本体部１４１の下部前側に設けられた取付部１４２と、第１可動体４１に設けられた当接部１０６が上方から係脱可能に係合する第１係合手段としての被当接部１４３と、上掛止部１３５に上端が掛止された引張りコイルバネ１６０の下端が係止される下掛止部１４４とを備えている。なお、ここでは、左の昇降支持体１４０を指示しながら説明し、右の昇降支持体１４０については、同一部分、部位に同一の符号を付して説明は省略する。
【００５４】
昇降支持体１４０の本体部１４１は、図１４および図１７に示すように、前後に組付けられた上下に細長い前本体部材１４０Ａおよび後本体部材１４０Ｂを前後に組付けて構成されている。前本体部材１４０Ａは、第３可動体４３の支持部材１２０における昇降支持部１２２の前側に位置し、後本体部材１４０Ｂは、該昇降支持部１２２の後側に位置して、昇降支持部１２２を前後から挟んだ状態で昇降移動可能に配設されている。後本体部材１４０Ｂの前面には、前方へ突出した複数(実施例では３個)の取付ピン１４５が上下方向に離間して形成されており、各取付ピン１４５の前端を前本体部材１４０Ａの後面に当接させたもとで、該前本体部材１４０Ａの前側からネジを該取付ピン１４５Ａ,１４５Ｂに締結することで、前本体部材１４０Ａの後面と後本体部材１４０Ｂの前面との間に該取付ピン１４５の突出長さに相当する前後幅の隙間が画成され、昇降支持部１２２を前後から挟み得るようになっている。
【００５５】
そして、各昇降支持体１４０における３つの取付ピン１４５において、最上部に位置する取付ピン(以降「上取付ピン１４５Ａ」という)および上から２番目に位置する取付ピン(以降「中取付ピン１４５Ｂ」という)は、昇降支持部１２２に設けられた第２ガイド孔１２８に前後に挿通されており、上取付ピン１４５Ａおよび中取付ピン１４５Ｂは、該第２ガイド孔１２８の上端１２８Ａまたは下端１２８Ｂに当接して第２可動体４２の昇降移動量を規定する規制部材として機能するようになっている。すなわち、上取付ピン１４５Ａは、昇降支持部１２２に対して昇降支持体１４０が上昇移動した際に第２ガイド孔１２８の上端１２８Ａに当接し、中取付ピン１４５Ｂは、第３可動体４３に対して第２可動体４２が下降移動した際に該第２ガイド孔１２８の下端１２８Ｂに当接するようになっている。従って、第２可動体４２は、上取付ピン１４５Ａが上端１２８Ａに当接した位置および中取付ピン１４５Ｂが下端１２８Ｂに当接した位置の間において、第３可動体４３の支持部材１２０に対して昇降移動が可能となっている。
【００５６】
前記取付部１４２は、本体部１４１から左右に延出して、第２演出部材Ｓ２の後面から後方へ突出した取付ボス１５３の後端に締結されるネジが挿通するネジ挿通孔１４２Ａが形成されて、該ネジ挿通孔１４２Ａを介して後側からネジを取付ボス１５３に締結することで、両昇降支持体１４０,１４０の前側に第２演出部材Ｓ２が取付けられる。そして、各昇降支持体１４０,１４０が第３可動体４３の支持部材１２０に対して昇降移動することで、第２可動体４２が該第３可動体４３に対して昇降移動するようになる。
【００５７】
第１係合手段としての被当接部１４３は、本体部１４１の下端から側方(左の昇降支持体１４０では右方、左の昇降支持体１４０では左方)へ突出した状態に形成され(図１４参照)、その上面に、第１可動体４１の第１移動体４６に設けた当接部１０６が上方から当接するようになっている。従って、各昇降支持体１４０,１４０は、図２１(ｂ)に示すように、第１可動体４１の当接部１０６が上方から被当接部１４３に当接することで、該第１可動体４１の下降移動に伴って下方へ押されると共に、引張りコイルバネ１６０の付勢による上昇移動が規制されるようになっている。
【００５８】
(第２演出部材)
前記第２演出部材Ｓ２は、図１０、図１１、図１４および図１７に示すように、各昇降支持体１４０,１４０の前側に固定される基材１５０と、該基材１５０の前側に取付けられる装飾カバー部材１５１と、該装飾カバー部材１５１に覆蓋された状態で該基材１５０の前側に配設された照明基板１５２とを備えている。基材１５０の後側には、各昇降支持体１４０,１４０の取付部１４２に前側から当接する取付ボス１５３,１５３が後方へ突設され、取付部１４２に後から挿通したネジを該取付ボス１５３,１５３に締結することで、第３演出部材Ｓ３が各昇降支持体１４０,１４０に固定される。装飾カバー部材１５１は、透明な合成樹脂の成形部材であり、前面が、光の透過が可能な透光領域１５１Ａおよび光の透過が不可能な不透光領域１５１Ｂに分けられ、透光領域１５１Ａは、外面を所要の意匠形状に形成すると共に凹凸形状に形成して光拡散機能が付与され、不透光領域１５１Ｂは、外面がメッキ等の表面処理が施されている。従って、第２演出部材Ｓ２は、照明基板１５２の発光部が点灯または点滅制御されると、装飾カバー部材１５１の透光領域１５１Ａが明輝して、演出効果を高めるように構成されている。また、装飾カバー部材１５１の下部には、上方へ凹んで前後および下方へ開口した凹み部１５５が形成されている。この凹み部１５５は、第２初期位置において、第１可動体４１に設けられた前述の取付支持部材１１６,１１６との干渉を回避するためのものである。なお、装飾カバー部材１５１は、前述した第１演出装置Ｓ１のように、透光領域１５１Ａを開口した部材として、光透過可能な別の部材で該透光領域１５１Ａを構成するようにしてもよい。
【００５９】
(引張りコイルバネ)
前記上掛止部１３５および下掛止部１４４に掛止され、上下に延在するよう架設された左右の各引張りコイルバネ１６０,１６０は、第２可動体４２が第２初期位置においても自然状態より適宜伸びた状態となる長さに設定されており、第２可動体４２を、第２初期位置に向け付勢して該第２初期位置に保持すると共に、第３可動体４３を、第２可動体４２を介して第３初期位置に向け間接的に付勢して該第２初期位置に保持し得る付勢力が発現される。すなわち、各引張りコイルバネ１６０,１６０は、第３可動体４３の重さおよび第２可動体４２の重さが加わっても、該第３可動体４３および第２可動体４２を、第２初期位置および第３初期位置に向け昇降移動すると共に、該第２初期位置および第３初期位置の各々に保持し得るようになっている。また、各引張りコイルバネ１６０,１６０は、第２可動体４２が第２下降位置まで下降移動する際に弾力的に伸びて、該第２可動体４２が第２下降位置まで下降移動することを許容するようになっている。
【００６０】
(第１〜第３の各可動体の相互関係について)
実施例の可動演出装置Ｍは、第１可動体４１に設けられた当接部１０６および第２可動体４２に設けられた被当接部１４３は、第１係合手段として、第１可動体４１の昇降移動に伴い係脱可能に係合するように構成されている。すなわち、図２０に示す第１初期位置にある第１可動体４１の当接部１０６は、第２初期位置にある第２可動体４２の被当接部１４３に対して上方へ離間し、当接部１０６と被当接部１４３の係合が解除されるようになっている。これにより第１可動体４１は、駆動モータ６０の停止により第１初期位置に停止保持され、第１移動体４６が第１基準位置に停止保持されると共に第２移動体４７が第２基準位置に停止保持される。また、第１可動体４１が第１初期位置に停止保持されている場合は、各引張りコイルバネ１６０,１６０の付勢により、第３可動体４３は第２初期位置に停止保持されると共に第２可動体４２は第３初期位置に保持されるようになっている。
【００６１】
そして、駆動モータ６０の駆動により、第１可動体４１が第１初期位置から第１下降位置に向けて下降移動する中途、すなわち図２１および図２２に示す中途位置まで下降すると、第２初期位置に停止していた第２可動体４２の被当接部１４３に当接部１０６が上方から当接して、当接部１０６と被当接部１４３とが係合状態となるように設定されている。すなわち、当接部１０６と被当接部１４３とは、第１可動体４１が図２１に示す中途位置から図２５に示す第１下降位置までの間にある場合に係合状態が保持される。そして、当接部１０６および被当接部１４３の係合状態においては、第１可動体４１の昇降移動に伴い、第２可動体４２が第２初期位置および第２下降位置の間で昇降移動するように構成されている。
【００６２】
また、第３可動体４３に設けられた各第２ガイド孔１２８,１２８の上端１２８Ａおよび第２可動体４２に設けられた上取付ピン１４５Ａは、第２係合手段として、該上端１２８Ａと上取付ピン１４５Ａとの係合状態において、該第２可動体４２の昇降移動に伴い、第３可動体４３を第３初期位置および第３下降位置の間で昇降移動させるよう機能する。すなわち、第２可動体４２が図２０に示す第２初期位置においては、第２ガイド孔１２８の上端１２８Ａが上取付ピン１４５Ａに上方から当接することで、第３可動体４３は第３初期位置に保持される。そして、第２可動体４２が、第１可動体４１により上方から押圧されて下降移動すると、第３可動体４３は、上端１２８Ａと上取付ピン１４５Ａとの係合が維持されたもとで、自重により第３初期位置から第３下降位置に向けて下降移動するようになっている。
【００６３】
また、第３可動体４３が、図２３および図２４に示す第３下降位置に保持されたもとで、第２移動体４７が第２下降位置から上昇移動すると、上取付ピン１４５Ａが上端１２８Ａに下方から当接するようになる。これにより第３可動体４３は、上取付ピン１４５Ａと上端１２８Ａとが係合保持された状態で、第２可動体４２の上昇移動に追従しながら上昇移動し、該第２可動体４２が第２初期位置に到達すると該第３可動体４３は第３初期位置に到達するようになっている。
【００６４】
更に、前記ベース部材４０に配設された各第３支持部材１３０,１３０の第３ガイド孔１３３,１３３の各下端１３３Ｂ,１３３Ｂと、第３可動体４３に設けられた下ガイドピン１２６Ｂ,１２７Ｂとは、第３係合手段として、第２可動体４２が第２初期位置から第２下降位置へ移動する中途位置で係合して(図２４参照)、この係合状態において、当該第３可動体４３の下降移動を規制して第３下降位置に保持するよう機能する。また、第２可動体４２が第２下降位置から第２初期位置に向けて上昇移動する中途位置において、該第２可動体４２の上取付ピン１４５Ａと第３可動体４３の上端１２８Ａとが係合して該第３可動体４３が下方から押されると、各第３ガイド孔１３３の下端１３３Ｂと下ガイドピン１２６Ｂ,１２７Ｂとの係合が解除され、第３可動体４３は、第２可動体４２に追従して、第３下降位置から第３初期位置に向けて上昇移動するようになる。
【００６５】
(第１ガイド部材および電気モータの配置について)
前記第１作動機構４４は、図１０、図１１、図１８および図２６に示すように、ベース部材４０の設置部５０に対し、第１移動体４６のスライド移動方向である上下方向と交差する左右方向において該第１移動体４６の一端側である右端側に偏らせて配設されると共に、第１ガイド部材５５は、該第１移動体４６の右端と反対の左端側に配設されている。すなわち第１ガイド部材５５は、該第１移動体４６の左端部に設けた第１ガイド取付部７５において、剛性のある第１ガイド部材５５に対し強固に固定されて該第１ガイド部材５５に支持されているから、ベース部材４０に対して安定的に昇降移動し得るようになっている。そして、第１移動体４６の左端側が第１ガイド部材５５に強固に支持されているから、該第１移動体４６の右端側が前ガイド片５８および後ガイド片５６により前後から支持する簡素化された支持構造とすることができ、これにより第１作動機構４４を該第１移動体４６の右端側へ偏らせて配設することができる。
【００６６】
(第１アーム部材と第１移動体との係合について)
図２０、図２５および図２６に示すように、前記第１アーム部材６６は、駆動モータ６０よりも第１ガイド部材５５側において、第１回転支軸６７によりベース部材４０の設置部５０に回転可能に支持されると共に、該第１回転支軸６７より第１ガイド部材５５側で第１移動体４６の第１連係孔７９に第１連係ローラ７０が係合した状態で、該第１アーム部材６６と第１移動体４６とが連結されている。すなわち、第１アーム部材６６は、前述したように、第１回転支軸６７より第１ガイド部材５５に近い方を円弧状に移動する際に、第１連係ローラ７０が第１連係孔７９に沿って移動するようになっている。これにより、第１アーム部材６６の回転により第１移動体４６に対して作用する力は、該第１移動体４６を支持する第１ガイド部材５５に近い部位に加わるようになるから、該第１移動体４６は傾きや変形が規制されてスムースかつ安定的に昇降移動する。
【００６７】
(第２ガイド部材および第２作動機構の配置について)
前記第２作動機構４５は、図２０、図２５および図２６に示すように、第１可動体４１の第１移動体４６の前面に対し、第２移動体４７のスライド移動方向である上下方向と交差する左右方向において該第２移動体４７の一端側である右端側に偏らせて配設されると共に、第２ガイド部材８０は、該第２移動体４７の右端と反対の左端側に配設されている。すなわち第２ガイド部材８０は、第２移動体４７の左端後側に設けられたスライド部１０２において、剛性を有する第２ガイド部材８０の第１ガイドバー８２および第２ガイドバー８３に対し強固に支持されているから、ベース部材４０に対して安定的に昇降移動し得るようになっている。そして、第２移動体４７の左端側が第２ガイド部材８０の第１ガイドバー８２および第２ガイドバー８３により強固に支持されているから、該第２移動体４７の右端側が第１ガイド孔８５および第１ガイドローラ１０３による支持構造とすることができ、これにより第２作動機構４５を該第２移動体４７の右端側へ偏らせて配設することができる。
【００６８】
(第２アーム部材と第２移動体との係合について)
図２０、図２５および図２６に示すように、前記第２アーム部材９３は、第２中間ギア９２よりも第２ガイド部材８０側において、第２回転支軸９４により第１移動体４６に回転可能に支持されると共に、該第２回転支軸９４より第２ガイド部材８０側で第２移動体４７の第２連係孔１０４に第２連係ローラ９７が係合した状態で、該第２アーム部材９３と第２移動体４７とが連結されている。すなわち、第２アーム部材９３は、前述したように、第２回転支軸９４より第２ガイド部材８０に近い方を円弧状に移動しながら、第２連係ローラ９７が第２連係孔１０４に沿って左右へ移動するようになっている。これにより、第２アーム部材９３の回転により第２移動体４７に対して作用する力は、該第２移動体４７を支持する第２ガイド部材８０に近い部位に加わるよう構成され、該第２移動体４７は傾きや変形が規制されてスムースかつ安定的に昇降移動する。
【００６９】
(取付部について)
前記第１可動体４１の取付部１０１に第１演出部材Ｓ１を取付けるための各固定支持部１０７,１０７および各取付支持部材１１６,１１６は、図９(ａ)および図２０に示すように、該第１可動体４１の第１初期位置において、第２初期位置にある第２可動体４２および第３初期位置にある第３可動体４３の直下に位置するようになっている。すなわち、固定支持部１０７および取付支持部材１１６は、第２可動体４２が第２初期位置から第２下降位置に移動する移動領域と交差するよう位置すると共に、第３可動体４３が第３初期位置から第３下降位置に移動する移動領域と交差するよう位置している。従って、第１可動体４１が第１初期位置に停止した状態では、第２可動体４２が第２下降位置へ下降移動することが固定支持部１０７および取付支持部材１１６で規制されると共に、第３可動体４３が第３下降位置へ下降移動することも該固定支持部１０７および取付支持部材１１６で規制され、駆動モータ６０が停止した状態では、第２可動体４２および第３可動体４３の下降移動が不能となっている。また、駆動モータ６０の駆動により第１可動体４１が第１初期位置から第１下降位置へ移動することで、第２可動体４２が第２初期位置から第２下降位置へ下降移動することが許容されると共に、第３可動体４３が第３初期位置から第３下降位置へ下降移動することが許容され、第１〜第３の各可動体４１,４２,４３を規定の順序で動作させるようになっている。
【００７０】
(実施例の作用)
前述のように構成された実施例のパチンコ機Ｐでは、遊技盤Ｄの遊技領域１０へ打ち出されたパチンコ球が第１始動入賞装置１５の始動入賞口１５Ａまたは第２始動入賞装置１６の始動入賞口１６Ａに入賞して、該第１始動入賞装置１５および第２始動入賞装置１６に配設された球検知スイッチによる球検知信号を主制御装置が受けると、該主制御装置は、大当り抽選を行なうと共に、統括制御装置に制御信号を出力して図柄表示装置Ｈの表示部Ｈ１において図柄変動演出を行なわせる。そして主制御装置は、大当り抽選の結果として大当りが発生すると、統括制御装置を介して図柄表示装置Ｈの表示部Ｈ１に所定の図柄組合わせで図柄を停止表示させ、特別入賞装置２１の開閉扉２１Ａを開放動作させて入賞口を開放させる。また、統括制御装置は、主制御装置からの制御信号に基づき、実施例の可動演出装置Ｍや、その方の演出装置および照明手段等を、図柄表示装置Ｈの表示部Ｈ１での遊技内容に合わせて総合的に作動制御する。
【００７１】
(駆動モータ６０の停止時おける第１〜第３の各可動体の態様)
可動演出部材Ｍは、駆動モータ６０の停止状態では、図７、図９および図２０に示すように、第１作動機構４４に連係した第１可動体４１が第１初期位置に停止保持され、第２可動体４２が引張りコイルバネ１６０の上方へ付勢されると共に、該第２可動体４２の上ガイドピン１２６Ａ,１２７Ａが第３可動体４３の第３ガイド孔１３３の上端１３３Ａに係合することで、各々第２初期位置および第３初期位置に保持されている。また、第１可動体４１と第２可動体４２とは係合が解除されている。第１可動体４１は、第１移動体４６が第１基準位置に停止保持されると共に第２移動体４７が第２基準位置に停止保持され、第１移動体４６はベース部材４０の前方に位置すると共に第２移動体４７は該第１移動体４６の前方に位置し、第１演出部材Ｓ１はベース部材４０の前方に位置する。そして、第２初期位置に停止保持された第２可動体４２の第２演出部材Ｓ２は、第１演出部材Ｓ１の後側に重なると共に、第３初期位置に停止保持された第３可動体４３の第３演出部材Ｓ３は、第２演出部材Ｓ３の後側に重なっている。すなわち、第１〜第３の各演出部材Ｓ１〜Ｓ３は、図３に示すように、図柄表示装置Ｈの表示部Ｈ１の前側から上方へ退避して、ベース部材４０の前方において前側から第１演出部材Ｓ１、第２演出部材Ｓ２、第３演出部材Ｓ３の順に整列する。
【００７２】
(駆動モータ６０の駆動による第１〜第３の各可動体の下降態様)
第１作動機構４４の駆動モータ６０が駆動制御されると、第１アーム部材６６が第１初期回転位置から第１最大回転位置に向けて回転を開始し、先ず第１可動体４１だけが第１初期位置から第１下降位置に向けて下降移動を開始する。これにより第１可動体４１は、第１アーム部材６６に連係された第１移動体４６が第１基準位置から第１延出位置に向けて下降移動すると共に、該第１移動体４６が下降移動することで第２作動機構４５が作動して第２アーム部材９３が第２初期回転位置から第２最大回転位置に向けて回転を開始し、第２移動体４７が第２基準位置から第２延出位置に向けて下降移動する。
【００７３】
第１可動体４１が、図２１および図２２に示す中途位置まで下降移動すると、第１移動体４６に設けられた当接部１０６が第２可動体４２に設けられた被当接部１４３に上方から当接する。当接部１０６と被当接部１４３とが係合状態となった以降は、第１可動体４１の下降移動に伴い、第２可動体４２が第２初期位置から第２下降位置に向けて下降移動を開始すると共に、第２可動体４２の上取付ピン１４５Ａ,１４５Ａと第３可動体４３の各第２ガイド孔１２８の上端１２８Ａ,１２８Ａとが係合した状態で、該第３可動体４３も自重により第３初期位置から第３下降位置に向けて下降移動を開始する。従って、当接部１０６と被当接部１４３とが当接した直後は、第１〜第３の各可動体４１,４２,４３の全てが同時に下降移動するようになる。
【００７４】
そして、自重により下降移動した第３可動体４３の下ガイドピン１２６Ｂ,１２７Ｂが各第３ガイド孔１３３,１３３の下端１３３Ｂに上方から当接すると(図２３、図２４参照)、該第３可動体４３が第３下降位置で停止する。また、第２可動体４２の上取付ピン１４５Ａ,１４５Ａと第３可動体４３の第２ガイド孔１２８の上端１２８Ａ,１２８Ａとの係合が解除され、第１下降位置に向けて下降移動する第１可動体４１により下方へ押された該第２可動体４２は、該第１可動体４１に追従して第２下降位置に向け更に下降移動する。従って、第３可動体４３が第３下降位置に停止した後は、第１可動体４１と第２可動体４２とが同時に下降移動するようになる。
【００７５】
図１８および図２５に示すように、第１可動体４１が第１下降位置まで下降移動すると、第１作動機構４４の駆動モータ６０が停止して該第１可動体４１は第１下降位置に停止する。また、第１可動体４１が第１下降位置に停止することで、第２可動体４２は第２下降位置に停止する。そして、第１可動体４１は、第１移動体４６が第１延出位置まで下降移動してベース部材４０の下方へ延出すると共に、第２移動体４７が第２延出位置まで下降移動して第１移動体４６の下方へ延出するようになる。
【００７６】
第１〜第３の各可動体４１,４２,４３が第１〜第３の下降位置に各々停止した状態では、図１８および図１９に示すように、第１可動体４１の第１演出部材Ｓ１が最も下方に位置し、該第１演出部材Ｓ１の後ろ上方に第２可動体４２の第２演出部材Ｓ２が位置し、該第２演出装置Ｓ２の後ろ上方に第３可動体４３の第３演出部材Ｓ３が位置するようになる。これにより可動演出装置Ｍは、図４に示すように、下方へ長く変化して図柄表示装置Ｈの表示部Ｈ１の前方に位置するようになる。
【００７７】
(駆動モータ６０の逆駆動による第１〜第３の各可動体の上昇態様)
一方、第１〜第３の各可動体４１,４２,４３が各々第１〜第３の各下降位置にある状態において、第１作動機構４４の駆動モータ６０を逆に駆動すると、第１可動体４１が第１初期位置に向けて上昇移動を開始する。これに伴い、第２可動体４２は、第１可動体４１の当接部１０６と第２可動体４２の被当接部１４３とが係合した状態で、引張りコイルバネ１６０の付勢により、第１可動体４１に追従して第２下降位置から第２初期位置に向けて上昇移動を開始する。すなわち、駆動モータ６０を逆駆動した際には、先ず第１可動体４１および第２可動体４２が同時に上昇移動を開始する。
【００７８】
第２可動体４２が、図２３および図２４に示す位置まで上昇移動すると、該第２可動体４２の上取付ピン１４５Ａ,１４５Ａと第３可動体４３の第２ガイド孔１２８の上端１２８Ａ,１２８Ａとが係合するようになる。そして、第２可動体４２が図２３および図２４に示す位置から上昇移動すると、第３可動体４３の下ガイドピン１２６Ｂ,１２７Ｂと第３ガイド孔１３３の下端１３３Ｂ,１３３Ｂとの係合が各々解除されることで、第３可動体４３は、上取付ピン１４５Ａ,１４５Ａと上端１２８Ａ,１２８Ａとの係合により、第２可動体４２に追従して第３初期位置に向けて上昇移動するようになる。これにより、第１〜第３の各可動体４１,４２,４３は、同時に上昇移動するようになる。
【００７９】
そして、第３可動体４３の上ガイドピン１２６Ａ,１２７Ａが第３ガイド孔１３３の上端１３３Ａ,１３３Ａに下方から係合すると、第３可動体４３は第３初期位置で停止するようになり、また上取付ピン１４５Ａ,１４５Ａと第２ガイド孔１２８,１２８の上端１２８Ａ,１２８Ａとが各々係合しているので、第２可動体４２は、第３可動体４３の停止と同時に第２初期位置に停止するようになる。このとき、第１可動体４１の当接部１０６と第２可動体４２の被当接部１４３との係合が解除され、第１可動体４１だけが第１初期位置に向けて上昇移動するようになる。そして、該第１可動体４１が第１初期位置まで上昇して、前述した被検知部８６が検知センサ５４で検知されると、駆動モータ６０が停止制御され、該第１可動体４１は第１初期位置に停止する。
【００８０】
従って、実施例のパチンコ機Ｐによれば、該パチンコ機Ｐを構成する可動演出装置Ｍが、１つの駆動モータ６０により、第１可動体４１が昇降移動する間に、第２可動体４２および第３可動体４３が一緒に昇降移動したり、第３可動体４３が停止して第２可動体４２が昇降移動したりする。すなわち、駆動モータ６０が１つであっても、３つの各可動体が同時に昇降移動する時と、２つの可動体が同時に昇降移動する時と、１つの可動体だけが昇降移動する時とがあり、各可動体４１,４２,４３が非同期的に動作するようになって高い演出効果を得ることができる。そして、１つの駆動モータ６０により第１〜第３の各可動体４１,４２,４３を作動させるよう構成したから、可動演出装置Ｍの外形サイズが小型に構成されて、パチンコ機Ｐの設置部材３０における該可動演出装置Ｍの配設スペースを小さくすることができ、当該可動演出装置Ｍの近傍に配設される他の可動演出部材や装飾部材、その他機器の配設態様の自由度が高められる。
【００８１】
そして、ベース部材４０に配設した第１作動機構４４の第１アーム部材６６が駆動モータ６０により第１初期回転位置から第１最大回転位置まで回転することで、該第１アーム部材６６に連結した第１移動体４６が第１ガイド部材５５に沿って下降移動して、ベース部材４０から下方へ延出する。また、第１移動体４６の下降移動に伴い、該第１移動体４６に配設した第２作動機構４５の第２アーム部材９３がラックギア９０に噛合した第１中間ギア９１および第２中間ギア９２の回転により第２初期回転位置から第２最大回転位置まで回転することで、該第２アーム部材９３に連結した第２移動体４７が第２ガイド部材８０に沿って下降移動して、第１移動体４６から下方へ延出する。従って、第１可動体４１の第１演出部材Ｓ１の下降移動量は、第１移動体４６の下降移動量と第２移動体４７の下降移動量とを合わせたものとなり、該第１演出部材Ｓ１の下降移動量が大きくなって演出効果を高めることができる。
【００８２】
また、第１移動体４６の昇降移動が第１アーム部材６６の回転により発現すると共に、第２移動体４７の昇降移動が第２アーム部材９３の回転により発現するよう構成したから、第１アーム部材６６が配設されたベース部材４０は、該第１アーム部材６６のアーム部６９の回転領域を確保し得る上下サイズに形成すればよく、また第２アーム部材９３が配設された第１移動体４６は、該第２アーム部材９３のアーム部９６の回転領域を確保し得る上下サイズに形成すればよい。従って、第１アーム部材６６のアーム部６９および第２アーム部材９３のアーム部９６を長くすれば、各アーム部材６６,９３の回転変位量が小さくても第１演出部材Ｓ１の昇降移動量を大きく確保することができるから、この点においても可動演出装置Ｍを小型化してコンパクトに構成することが可能となる。
【００８３】
そして、第１可動体４１は、第１移動体４６が、駆動モータ６０および駆動ギア６５が配設された右端側と反対の左端側が第１ガイド部材５５で支持されているから、該左端側が該第１ガイド部材５５で支持されながら安定的にスライド移動すると共に該第１移動体４６の変形が抑制され、駆動ギア８５や第１アーム部材６６に負荷が掛かり難い。また第２移動体４７は、ラックギア９０や第１中間ギア９１および第２中間ギア９２が配設された右端側と反対の左端側が第２ガイド部材８０で支持されているから、該左端側が該第２ガイド部材８０で支持されながら安定的にスライド移動すると共に該第２移動体４７の変形が抑制され、ラックギア９０と第１中間ギア９１との噛合状態、第１中間ギア９１と第２中間ギア９２との噛合状態、第２中間ギア９２と第２アーム部材９３の従動ギア９５との噛合状態の各々が適切に維持され、各ギアに負荷が掛かり難い。
【００８４】
しかも、第２ガイド部材８０は、前後に離間して配置された第１ガイドバー８２および第２ガイドバー８３により左側が支持されているから、第２移動体４７は右側が上下方向および前後方向へ変位し難くなっており、該第２移動体４７の変形がより一層抑制される。従って、第２移動体４７は、第２ガイド部材８０の第１ガイドバー８２および第２ガイドバー８３に沿って昇降移動する際に姿勢が常に安定するから第２可動体４２との位置関係が適正に保持され、第２移動体４７に設けられた当接部１０６が第２可動体４２に設けられた被当接部１４３に正確に当接して適切な係合状態を得ることができる。
【００８５】
更に、第１可動体４１の昇降移動時においては、第１アーム部材６６の回転により第１連係ローラ７０を介して第１移動体４６に作用する力が、該第１移動体４６を支持する第１ガイド部材５５に近い部位に加わるよう構成されているから、該第１移動体４６の傾きや変形が規制されてスムースかつ安定的な昇降移動が得られる。同様に、第２アーム部材９３の回転により第２連係ローラ９７を介して第２移動体４７に作用する力は、該第２移動体４７を支持する第２ガイド部材８０に近い部位に加わるよう構成されているから、該第２移動体４７の傾きや変形が規制されてスムースかつ安定的な昇降移動が得られる。
【００８６】
また更に、第１可動体４１に設けられた各取付支持部材１１６,１１６が、該第１可動体４１の第１初期位置において、第２初期位置にある第２可動体４２および第３初期位置にある第３可動体４３の直下に位置して、該第２可動体４２の移動領域および第３可動体４３の移動領域に臨んでいるから、駆動モータ６０により昇降移動する第１可動体４１が下降移動して取付支持部材１１６が下方へ移動しなければ、第２可動体４２および第３可動体４３の下降移動が不能であり、第２可動体４２および第３可動体４３が第２下降位置および第３下降位置へ下降移動することを好適に規制し得る。また、駆動モータ６０により第１可動体４１が昇降移動する際には、第２可動体４２および第３可動体４３を規定の順序で動作させることができる。
【００８７】
〔変更例〕
本発明に係る遊技機は、実施例に例示の形態に限らず種々の変更が可能である。
（１）実施例では、可動演出装置Ｍを、設置部材３０の設置壁部３１に配設して、図柄表示装置Ｈの表示部Ｈ１の前側で昇降移動させる形態を例示したが、該可動演出装置Ｍは、遊技盤Ｄの遊技領域１０内または遊技領域１０外の盤面に配設したり、中枠Ｂや前枠Ｃに配設するものであってもよい。
（２）実施例の可動演出装置Ｍは、第１移動体４６の昇降移動方向と交差する方向における左端側に第１ガイド部材５５を配設すると共に、右端側に第１作動機構４４の駆動モータ６０等を配設するよう構成したが、第１ガイド部材５５を第１移動体４６の右側に配設すると共に駆動モータ６０を左側に配設するようにしてもよい。また、第２移動体４７の昇降移動方向と交差する方向における左側に第２ガイド部材８０を配設すると共に、右側に第２作動機構４４のラックギア９０や各中間ギア９１,９２を配設するよう構成したが、第２ガイド部材８０を第２移動体４７の右端側に配設すると共にラックギア９０および各中間ギア９１,９２を左端側に配設するようにしてもよい。
（３）第２移動体４７に設けられた第２ガイド取付部７７は、該第２ガイド取付部７７に固定された第２ガイド部材８０が前方へ突出しても差し支えない場合には、後方へ凹んだ形状としなくてもよい。また、第２ガイド取付部７７は、第１ガイド取付部７５と平行でなくてもよく、第１移動体４６に対する第２移動体４７の移動方向に合わせて配設向きや位置を適宜変更してもよい。
（４）実施例では、第１ガイド部５５として、３段引きタイプのスライドレールを例示したが、該第１ガイド部５５は、第１移動体４６をがたつきなく支持すると共に安定的にスライド移動させ得るものであれば、２段引きタイプのスライドレールや、第２ガイド部８０として例示した複数のガイドバーから構成されたもの等であってもよい。
（５）実施例では、第２ガイド部８０として、２本のガイドバー(第１ガイドバー８２および第２ガイドバー８３)を備えたものを例示したが、該ガイドバーの配設数は３本以上であってもよい。また、第２ガイド部８０は、第１ガイド部５５として例示した３段引きタイプのスライドレール等であってもよい。
（６）実施例では、第１〜第３の各可動体４１,４２,４３が平行にスライド移動するタイプの可動演出装置Ｍを例示したが、第１〜第３の各可動体４１,４２,４３は、扇状に旋回移動するタイプであってもよい。
（７）第１係合手段における当接部１０６と被当接部１４３の形成位置や、第２係合手段における上取付ピン１４５Ａと第２ガイド孔１２８の上端１２８Ａとの形成位置や、第３係合手段における下ガイドピン１２６Ｂ,１２７Ｂと第３ガイド孔１３３の下端１３３Ｂとの形成位置を変更することで、第１可動体４１が第１初期位置と第１下降位置との間を昇降移動する際における第１〜第３の各係合手段の係脱タイミングを様々に設定することが可能となり、第１〜第３の各演出部材Ｓ１〜Ｓ３の動作態様が様々に変更されて演出効果の多様化を図ることが可能である。
（８）実施例では、遊技機としてのパチンコ機を示したが、遊技機はパチンコ機に限られるものではなく、アレンジボール機やスロットマシン等であってもよい。
【符号の説明】
【００８８】
４１ 第１可動体，４２ 第２可動体，４３ 第３可動体
４５ 第２作動機構(作動機構)，４６ 第１移動体
４７ 第２移動体，６０ 駆動モータ(駆動手段)
１０６ 当接部(第１係合手段)，１０７ 固定支持部(取付部)
１１６ 取付支持部材(取付部)，１２６Ｂ 下ガイドピン(第３係合手段)
１２７Ｂ 下ガイドピン(第３係合手段)
１２８Ａ 上端(第２係合手段)，１３３Ｂ 下端(第３係合手段)
１４３ 被当接部(第１係合手段)，１４５Ａ 上取付ピン(第２係合手段)
１６０ 引張りコイルバネ(付勢手段)，Ｍ 可動演出装置
【図１】
2014023874.tif 000003
【図２】
2014023874.tif 000004
【図３】
2014023874.tif 000005
【図４】
2014023874.tif 000006
【図５】
2014023874.tif 000007
【図６】
2014023874.tif 000008
【図７】
2014023874.tif 000009
【図８】
2014023874.tif 000010
【図９】
2014023874.tif 000011
【図１０】
2014023874.tif 000012
【図１１】
2014023874.tif 000013
【図１２】
2014023874.tif 000014
【図１３】
2014023874.tif 000015
【図１４】
2014023874.tif 000016
【図１５】
2014023874.tif 000017
【図１６】
2014023874.tif 000018
【図１７】
2014023874.tif 000019
【図１８】
2014023874.tif 000020
【図１９】
2014023874.tif 000021
【図２０】
2014023874.tif 000022
【図２１】
2014023874.tif 000023
【図２２】
2014023874.tif 000024
【図２３】
2014023874.tif 000025
【図２４】
2014023874.tif 000026
【図２５】
2014023874.tif 000027
【図２６】
2014023874.tif 000028